(57)【特許請求の範囲】
【請求項１】
顧客データを含んだ入金データの入力、表示及び記憶を行なうテラーズマシンと、硬貨の少なくとも入金計数処理を行なう硬貨処理機と、紙幣の少なくとも入金計数処理を行なう紙幣処理機とを有する窓口用貨幣処理装置において、
硬貨処理機及び紙幣処理機の両処理機には、それぞれ、
入金スタート釦と、
当該処理機における入金スタート釦が操作されたことを検出して、接続される他方の処理機に入金命令信号を出力する入金命令信号発信手段と、
接続される他方の処理機から発信された入金命令信号を受信可能な入金命令信号受信手段と、
当該処理機において入金スタート釦が操作されたこと、及び、当該処理機の入金命令信号受信手段により他方の処理機から入金命令信号が出力されたことのいずれか一方を検出した場合に、当該処理機の入金計数処理を開始させる計数開始連動手段と、
を有することを特徴とする窓口用貨幣処理装置。
【請求項２】
硬貨処理機及び紙幣処理機の両処理機には、それぞれ、
貨幣が入金される入金口において貨幣を検出する検出手段と、
当該処理機において入金スタート釦が操作されたこと、及び、当該処理機の入金命令信号受信手段により他方の処理機から入金命令信号が出力されたことのいずれ一方を検出した場合に、当該処理機の入金口の貨幣が検出手段により検出されない場合には、当該処理機の入金計数処理を開始させず、他方、検出手段により当該処理機の入金口の貨幣が検出された場合には、当該処理機の入金計数処理を開始させる連動制御手段と、
を有することを特徴とする請求項１記載の窓口用貨幣処理装置。
【発明の詳細な説明】
【０００１】
【産業上の利用分野】
本発明は、銀行などの金融機関の窓口用貨幣処理装置に関する。
【０００２】
【従来の技術】
窓口用貨幣処理装置の基本的な構成は、特開昭６１−６０１９２号公報にも示されるように、顧客データなどを含んだ入金データの、入力、表示、印字及び記憶を行なうとともに中央処理装置にオンライン接続されたテラーズマシンと、入金される紙幣の真偽及び金種判別を行なって入金金額を計数等する紙幣処理機と、入金される硬貨の真偽及び金種判別を行なって入金金額を計数等する硬貨処理機とにより構成されている。
そして、テラーは、顧客より入金すべき貨幣を受け取ったときには、貨幣を紙幣と硬貨とに分け、紙幣を紙幣処理機の入金口に、硬貨を硬貨処理機の入金口にセットし、それぞれの処理機に設けられている入金計数の開始を指示する入金スタート釦を操作することにより、各処理機による機械計数を開始させ、他方、顧客データなどを含んだ入金データの入力をテラーズマシンにより行なっていた。ところで、窓口用貨幣処理装置は、これを設置しようとする金融機関の規模、支店環境などにより、テラーズマシンに接続する機器を、入金処理を行なう硬貨処理機のみとする場合、あるいは、入金処理を行なう硬貨処理機と入金処理を行なう紙幣処理機とする場合、または、総合窓口である場合には、入金とともに出金も可能な処理機を採用したり、さらには、資金の効率化の観点から入金された貨幣を出金用として利用する循環式の処理機を採用するなど、種々の処理機が接続される。
そのため、これら処理機は、どのような接続のされ方であっても問題とならないように、簡単な表示部及び操作部などが設けられ、各処理機の操作部の中には、貨幣の入金時に、これら処理機による入金計数の開始を指示する入金スタート釦が設けられている。
【０００３】
【発明が解決しようとする課題】
そして、テラーズマシンに硬貨を入金させる硬貨処理機と紙幣を入金させる紙幣処理機との両方が接続されたシステムにあっては、テラーは、顧客より入金すべき貨幣を受け取ったときには、貨幣を紙幣と硬貨に分け、紙幣を紙幣処理機の入金口に、硬貨を硬貨処理機の入金口にセットし、それぞれの処理機に設けられている入金計数の開始を指示する入金スタート釦を操作する必要があり、テラーズマシンにより、顧客データなどを含んだ入金データを入力しなければならないこの時点において、それぞれの処理機の入金スタート釦を操作しなければならないことは、非常に煩雑な作業あり、時として、一方の処理機の入金スタート釦を操作し忘れることもあるという問題があった。
【０００４】
したがって、本発明の目的は、それぞれの処理機の入金スタート釦を操作することなく入金計数動作を開始し得る窓口用貨幣処理装置を提供することである。
【０００５】
【課題を解決するための手段】
上記目的を達成するため、本発明の請求項１記載の窓口用貨幣処理装置は、顧客データを含んだ入金データの入力、表示及び記憶を行なうテラーズマシンと、硬貨の少なくとも入金計数処理を行なう硬貨処理機と、紙幣の少なくとも入金計数処理を行なう紙幣処理機とを有するものであって、硬貨処理機及び紙幣処理機の両処理機には、それぞれ、入金スタート釦と、当該処理機における入金スタート釦が操作されたことを検出して、接続される他方の処理機に入金命令信号を出力する入金命令信号発信手段と、接続される他方の処理機から発信された入金命令信号を受信可能な入金命令信号受信手段と、当該処理機において入金スタート釦が操作されたこと、及び、当該処理機の入金命令信号受信手段により他方の処理機から入金命令信号が出力されたことのいずれか一方を検出した場合に、当該処理機の入金計数処理を開始させる計数開始連動手段と、を有することを特徴としている。
【０００６】
本発明の請求項２記載の窓口用貨幣処理装置は、上記に加えて、硬貨処理機及び紙幣処理機の両処理機には、それぞれ、貨幣が入金される入金口において貨幣を検出する検出手段と、当該処理機において入金スタート釦が操作されたこと、及び、当該処理機の入金命令信号受信手段により他方の処理機から入金命令信号が出力されたことのいずれ一方を検出した場合に、当該処理機の入金口の貨幣が検出手段により検出されない場合には、当該処理機の入金計数処理を開始させず、他方、検出手段により当該処理機の入金口の貨幣が検出された場合には、当該処理機の入金計数処理を開始させる連動制御手段と、を有することを特徴としている。
【０００７】
【作用】
本発明の請求項１記載の窓口用貨幣処理装置によれば、硬貨を硬貨処理機にセットし、紙幣を紙幣処理機にセットした状態で、硬貨処理機及び紙幣処理機のいずれか一方の入金スタート釦を操作すると、この入金スタート釦が操作された一方の処理機が、計数開始連動手段により当該一方の処理機の入金計数処理を開始させるとともに、入金命令信号発信手段により、他方の処理機に入金命令信号を出力する。すると、他方の処理機も、入金命令信号を入金命令信号受信手段で受信することにより、計数開始連動手段が当該他方の処理機の入金計数処理を自動的に開始させる。
【０００８】
本発明の請求項２記載の窓口用貨幣処理装置によれば、硬貨処理機及び紙幣処理機のいずれか一方の処理機の入金口のみに貨幣をセットして、該貨幣がセットされた処理機の入金スタート釦を操作すると、この貨幣がセットされた一方の処理機は、計数開始連動手段により当該一方の処理機の入金計数処理を開始させるとともに、入金命令信号発信手段により、接続される他方の処理機に入金命令信号を出力させることになる。しかしながら、この他方の処理機は、前記入金命令信号の出力を入金命令信号受信手段で検出しても、連動制御手段が、処理機の入金口の貨幣が検出手段により検出されない場合には、当該他方の処理機の入金計数処理を開始させることがない。
【０００９】
【実施例】
本発明の一実施例による窓口用貨幣処理装置を図面を参照して以下に説明する。
本実施例の窓口用貨幣処理装置は、顧客データなどを含んだ入金データの入力、表示、印字及び記憶を行なうテラーズマシン１０と、紙幣の入金計数処理及び出金計数処理を行なう紙幣入出金機（紙幣処理機）１１ａと、硬貨の入金計数処理及び出金計数処理を行なう硬貨入出金機（硬貨処理機）１１ｂとで構成されており、これら個々の機器の主たる構成及び機能は、従来のものと同様となっている。
【００１０】
ここで、テラーズマシン１０、紙幣入出金機１１ａ及び硬貨入出金機１１ｂの制御系は図１及び図２にブロック図で示す構成となっており、以下、紙幣入出金機１１ａに関連するものには添字ａを付し、硬貨入出金機１１ｂに関連するものには添字ｂを付して説明する。
テラーズマシン１０は、その作動を制御するＣＰＵ１３、その作動に必要な情報等が予め記憶されているＲＯＭ１４、テラーにより入力された、顧客データなどを含んだ入金データ（顧客識別番号、入金金額等）及び出金データ等を記憶するＲＡＭ１５、テラーにより入力された、顧客データなどを含んだ入金データ及び出金データ等を表示させる表示部１６、テラーによりデータの入力等が行なわれる操作部１７、顧客データなどを含んだ入金データを印字させる印字部１８、紙幣入出金機１１ａに接続されるとともに、該紙幣入出金機１１ａと該紙幣入出金機１１ａを介して接続された硬貨入出金機１１ｂとの間のデータの入出力が行なわれるインターフェース１９、及び、その他必要な処理を行なう手段２０で主に構成されている。
【００１１】
紙幣入出金機１１ａは、入金計数処理及び出金計数処理等、紙幣入出金機１１ａの作動を制御するＣＰＵ２３ａと、その作動に必要な情報等が予め記憶されているＲＯＭ２４ａと、入金計数処理及び出金計数処理の処理内容（入金金額、出金金額等）等を記憶するＲＡＭ２５ａと、紙幣入出金機１１ａの駆動を行なう駆動部２６ａと、入金口において紙幣を検出する入金検出手段（検出手段）２７ａ及びリジェクト口において紙幣を検出するリジェクト検出手段２８ａを含み、入金計数処理及び出金計数処理等において紙幣の正損真偽及び金種判別等を行なうセンサ部２９ａと、入金計数処理及び出金計数処理の処理内容（入金金額、出金金額等）を表示させる表示部３０ａと、テラーによりデータの入力等が行なわれる、入金スタート釦３１ａを含む操作部３２ａと、テラーズマシン１０及び硬貨入出金機１１ｂとの間のデータの入出力が行なわれるインターフェース３３ａとで主に構成されている。
【００１２】
硬貨入出金機１１ｂは、入金計数処理及び出金計数処理等、硬貨入出金機１１ｂの作動を制御するＣＰＵ２３ｂと、その作動に必要な情報等が予め記憶されているＲＯＭ２４ｂと、入金計数処理及び出金計数処理の処理内容（入金金額、出金金額等）等を記憶するＲＡＭ２５ｂと、硬貨入出金機１１ｂの駆動を行なう駆動部２６ｂと、入金口において硬貨を検出する入金検出手段（検出手段）２７ｂ及びリジェクト口において硬貨を検出するリジェクト検出手段２８ｂを含み、入金計数処理及び出金計数処理等において硬貨の正損真偽及び金種判別等を行なうセンサ部２９ｂと、入金計数処理及び出金計数処理の処理内容（入金金額、出金金額等）を表示させる表示部３０ｂと、テラーによりデータの入力等が行なわれる、入金スタート釦３１ｂを含む操作部３２ｂと、紙幣入出金機１１ａに接続されるとともに、該紙幣入出金機１１ａと該紙幣入出金機１１ａを介して接続されたテラーズマシン１０との間のデータの入出力が行なわれるインターフェース３３ｂとで主に構成されている。
【００１３】
紙幣入出金機１１ａのＣＰＵ２３ａ及び硬貨入出金機１１ｂのＣＰＵ２３ｂは、それぞれ、図２に示すブロック図で構成されている。
すなわち、紙幣入出金機１１ａのＣＰＵ２３ａは、紙幣入出金機１１ａの主たる作動を制御するＣＰＵ本体３５ａと、当該紙幣入出金機１１ａにおける操作部３２ａに設けられた入金スタート釦３１ａが操作されたことを検出して、接続される他方の処理機である硬貨入出金機１１ｂの後述する入金命令信号受信手段３６ｂに入金命令信号を出力する入金命令信号発信手段３７ａと、硬貨入出金機１１ｂの後述する入金命令信号発信手段３７ｂから発信された入金命令信号を受信可能な入金命令信号受信手段３６ａと、当該紙幣入出金機１１ａにおいて入金スタート釦３１ａが操作されたこと、及び、当該紙幣入出金機１１ａの入金命令信号受信手段３６ａにより硬貨入出金機１１ｂの後述する入金命令信号発信手段３７ｂから入金命令信号が出力されたことのいずれか一方を検出した場合に、当該紙幣入出金機１１ａの入金計数処理を開始させる計数開始連動手段３８ａとを有している。
【００１４】
さらに、本実施例において、ＣＰＵ２３ａは、紙幣が入金される入金口において紙幣を検出する入金検出手段２７ａに接続されており、当該紙幣入出金機１１ａにおいて入金スタート釦３１ａが操作されたこと、及び、当該紙幣入出金機１１ａの入金命令信号受信手段３６ａにより硬貨入出金機１１ｂの入金命令信号発信手段３７ｂから入金命令信号が出力されたことのいずれ一方を検出した場合に、当該紙幣入出金機１１ａの入金口の紙幣が入金検出手段２７ａにより検出されない場合には、当該紙幣入出金機１１ａの入金計数処理を開始させず、他方、入金検出手段２７ａにより当該紙幣入出金機１１ａの入金口の紙幣が検出された場合には、当該紙幣入出金機１１ａの入金計数処理を開始させる連動制御手段３９ａと、を有している。
【００１５】
また、硬貨入出金機１１ｂのＣＰＵ２３ｂは、硬貨入出金機２３ｂの主たる作動を制御するＣＰＵ本体３５ｂと、当該硬貨入出金機１１ｂにおける操作部３２ｂに設けられた入金スタート釦３１ｂが操作されたことを検出して、接続される他方の処理機である紙幣入出金機１１ａの入金命令信号受信手段３６ａに入金命令信号を出力する入金命令信号発信手段３７ｂと、紙幣入出金機１１ａの入金命令信号発信手段３７ａから発信された入金命令信号を受信可能な入金命令信号受信手段３６ｂと、当該硬貨入出金機１１ｂにおいて入金スタート釦３１ｂが操作されたこと、及び、当該硬貨入出金機１１ｂの入金命令信号受信手段３６ｂにより紙幣入出金機１１ａの入金命令信号発信手段３７ａから入金命令信号が出力されたことのいずれか一方を検出した場合に、当該硬貨入出金機１１ｂの入金計数処理を開始させる計数開始連動手段３８ｂとを有している。
【００１６】
さらに、本実施例において、ＣＰＵ２３ｂは、硬貨が入金される入金口において硬貨を検出する入金検出手段２７ｂに接続されており、当該硬貨入出金機１１ｂにおいて入金スタート釦３１ｂが操作されたこと、及び、当該硬貨入出金機１１ｂの入金命令信号受信手段３６ｂにより紙幣入出金機１１ａの入金命令信号発信手段３７ａから入金命令信号が出力されたことのいずれ一方を検出した場合に、当該硬貨入出金機１１ｂの入金口の硬貨が入金検出手段２７ｂにより検出されない場合には、当該硬貨入出金機１１ｂの入金計数処理を開始させず、他方、入金検出手段２７ｂにより当該硬貨入出金機１１ｂの入金口の硬貨が検出された場合には、当該硬貨入出金機１１ｂの入金計数処理を開始させる連動制御手段３９ｂと、を有している。
【００１７】
次に、このような構成を有する窓口用貨幣処理装置のテラーズマシン１０における各処理のうちの入金モード部分について図３のフローチャートを参照して説明する。
テラーが、紙幣及び硬貨の少なくとも一方を窓口用貨幣処理装置に入金するため、操作部１７で入金モードを選択すると、テラーが操作部１７で入金しようとする金額データ及び顧客データ等の入金データを入力する（ステップＡ１，Ａ２）。そして、テラーは、必要に応じて紙幣入出金機１１ａ及び硬貨入出金機１１ｂの少なくともいずれか一方に貨幣をセットして機械計数を実行させる（なお、以下においては、説明の便宜上、紙幣及び硬貨がともにセットされた場合について説明するが、勿論、いずれか一方のみがセットされた場合についてはこのセットされた貨幣についてのみ以下の処理が行なわれる）。
【００１８】
紙幣入出金機１１ａによって、該紙幣入出金機１１ａにセットされた紙幣の機械計数が、硬貨入出金機１１ｂによって、該硬貨入出金機１１ｂにセットされた硬貨の機械計数が行なわれ、それぞれの機械計数データがインターフェース１９に入力された場合には、入力された機械計数データを、ＲＡＭ１５のそれぞれ対応するエリアに記憶させる（ステップＡ３，Ａ４）。そして、機械計数が行なわれた際に、紙幣入出金機１１ａあるいは硬貨入出金機１１ｂで、損券・損貨等、機械計数ができず排除されたものがある場合には、この排除されたものをテラーが操作部１７に手操作により入力し、この手入力データをＲＡＭ１５のそれぞれ対応するエリアに記憶させる（ステップＡ５，Ａ６）。
【００１９】
機械計数データと手入力データとを加えた金額データと、テラーが、操作部１７に入力した入金データの金額データとの照合を行なう場合には、これらの金額データが一致したか否かを判定し、一致していない場合にはアラームを発生させ（ステップＡ７，Ａ８，Ａ９）、一致していた場合には、入金された紙幣を紙幣入出金機１１ａに、硬貨を硬貨入出金機１１ｂに収納させる（ステップＡ７，Ａ８，Ａ１０）。
また、上記金額データの照合を行なわない場合（ステップＡ７）及び照合により不一致でアラームが発生された場合（ステップＡ８，Ａ９）に、テラーが操作部１７の操作でキャンセルを選択すると、紙幣が紙幣入出金機１１ａから、硬貨が硬貨入出金機１１ｂから返却される（ステップＡ１１，Ａ１２）。一方、上記金額データの照合を行なわない場合及び照合により不一致でアラームが発生された場合に、テラーが操作部１７の操作でキャンセルを行なわない旨選択すると（ステップＡ１１）、機械計数を再度行ない得る状態となる。
【００２０】
次に、テラーズマシン１０における各種処理の実行と関連して行なわれる紙幣入出金機１１ａ及び硬貨入出金機１１ｂの各種処理のうちの入金計数処理部分について図４のフローチャートを参照して説明する。
なお、紙幣入出金機１１ａ及び硬貨入出金機１１ｂのいずれも同様の処理が行なわれることになるため、以下においては、これらを入出金機と総称し取扱うものを貨幣と総称して、さらに紙幣入出金機に関連して付した添字ａ及び硬貨入出金機に関連して付した添字ｂを略して説明する。
【００２１】
入出金機１１の入金スタート釦３１が操作された場合には、当該入出金機１１の入金命令信号発信手段３７から、当該入出金機１１に接続された他方の入出金機１１の入金命令信号受信手段３６に向けて入金命令信号を出力した後に、入金計数処理を行なうべく、当該入出金機１１の入金検出手段２７により入金口の貨幣の有無を検出させる（ステップＢ１，Ｂ２，Ｂ３）。一方、当該入出金機１１の入金スタート釦３１が操作されていない場合には、当該入出金機１１の入金命令信号受信手段３６が、当該入出金機１１に接続された他方の入出金機１１の入金命令信号発信手段３７から出力された入金命令信号を受けたなら、当該入出金機１１の計数開始連動手段３８が、入金計数処理を行なうべく、入金検出手段２７により当該入出金機１１の入金口の貨幣の有無を検出させる（ステップＢ１，Ｂ４，Ｂ３）。
【００２２】
そして、当該入出金機１１の入金口に貨幣が検出された場合は、検出されなくなるまで入金計数処理が行なわれ、検出されなくなると、入金計数結果を出力して当該入出金機１１の表示部３０に表示させる（ステップＢ３，Ｂ５〜Ｂ７）。また、当該入出金機１１の入金口に貨幣が検出されない場合は、入金計数処理の実行をキャンセルする（ステップＢ３）。
なお、出力される入金計数結果は、真の貨幣として機内に一時貯留されている（すなわちリジェクトされた分を含まない）貨幣の入金計数結果（枚数及び金額の少なくともいずれか一方）をいい、この計数結果データは、図４のフローチャートに示した、その他の命令受信及びその処理に含まれる、入金収納命令（一時貯留された貨幣を金庫に収納するための命令）もしくは返却命令（一時貯留された貨幣を収納することなく、機外に返却するための命令）があるまで、各入出金機１１の計数結果データとして加算記憶されるものである。ここで、加算記憶とは、リジェクトされた貨幣が再度入金口にセットされ入金スタート釦３１が操作された場合に、再度の入金計数処理を行ない、既に一度目の入金計数処理で一時貯留されている貨幣に計数値を加算する処理のことである。
【００２３】
続いて、当該入出金機１１において、貨幣を外部にリジェクトさせるためのリジェクト口でリジェクト検出手段２８により貨幣が検出されると、リジェクト口からリジェクト貨幣がテラーにより取り除かれるまでアラームを発生させて（ステップＢ８〜Ｂ１０）、リジェクト貨幣の存在をテラーが忘れてしまうことを防止することになる。
【００２４】
以上に述べたように、本実施例の窓口用貨幣処理装置によれば、紙幣を紙幣入出金機１１ａにセットし硬貨を硬貨入出金機１１ｂにセットした状態で、入出金機１１ａ，１１ｂの入金スタート釦３１ａ，３１ｂのうちのいずれか一方を操作すると、例えば、入金スタート釦３１ａが操作されたと仮定すれば、この操作された入金スタート釦３１ａを備えた入出金機１１ａが、計数開始連動手段３８ａにより当該一方の入出金機１１ａの入金計数処理を開始させるとともに、入金命令信号発信手段３７ａにより、他方の入出金機１１ｂに入金命令信号を出力する。すると、他方の入出金機１１ｂも、入金命令信号を入金命令信号受信手段３６ｂで受信することにより、計数開始連動手段３８ｂが当該他方の入出金機１１ｂの入金計数処理を自動的に開始させる。したがって、それぞれの入出金機１１ａ，１１ｂの入金スタート釦３１ａ，３１ｂを双方操作することなく、いずれか一方の入出金機１１ａ，１１ｂの入金スタート釦３１ａ，３１ｂを操作するだけで両入出金機１１ａ，１１ｂの入金計数動作を開始することができる。
【００２５】
しかも、入出金機１１ａ，１１ｂのいずれか一方の入金口のみに貨幣がセットされ、該貨幣がセットされた入出金機１１ａ，１１ｂの入金スタート釦３１ａ，３１ｂを操作した場合に、例えば、入金スタート釦３１ａが操作されたと仮定すれば、この貨幣がセットされた入出金機１１ａは、計数開始連動手段３８ａにより当該入出金機１１ａの入金計数処理を開始させるとともに、入金命令信号発信手段３７ａにより、接続される他方の入出金機１１ｂに入金命令信号を出力させることになる。しかしながら、この他方の入出金機１１ｂは、前記入金命令信号の出力を入金命令信号受信手段３６ｂで検出しても、連動制御手段３９ｂが、入出金機１１ｂの入金口の貨幣が入金検出手段２７ｂにより検出されない場合には、当該他方の入出金機１１ｂの入金計数処理を開始させることがない。したがって、貨幣がセットされていない入出金機１１ａ，１１ｂにおいて不要な入金計数動作が開始されてしまうことを防止できる。
加えて、リジェクトされた貨幣がある場合にはアラームを発生させることになるため、リジェクト貨幣を忘れて次の作業に進んでしまうこと等の不具合を防止することができる。
【００２６】
【発明の効果】
以上詳述したように、本発明の請求項１記載の窓口用貨幣処理装置によれば、硬貨を硬貨処理機にセットし、紙幣を紙幣処理機にセットした状態で、硬貨処理機及び紙幣処理機のいずれか一方の入金スタート釦を操作すると、この入金スタート釦が操作された一方の処理機が、計数開始連動手段により当該一方の処理機の入金計数処理を開始させるとともに、入金命令信号発信手段により、他方の処理機に入金命令信号を出力する。すると、他方の処理機も、入金命令信号を入金命令信号受信手段で受信することにより、計数開始連動手段が当該他方の処理機の入金計数処理を自動的に開始させる。したがって、それぞれの処理機の入金スタート釦を操作することなく、いずれか一方の処理機の入金スタート釦を操作するだけで両処理機の入金計数動作を開始することができる。
【００２７】
本発明の請求項２記載の窓口用貨幣処理装置によれば、硬貨処理機及び紙幣処理機のいずれか一方の処理機の入金口のみに貨幣をセットして、該貨幣がセットされた処理機の入金スタート釦を操作すると、この貨幣がセットされた一方の処理機は、計数開始連動手段により当該一方の処理機の入金計数処理を開始させるとともに、入金命令信号発信手段により、接続される他方の処理機に入金命令信号を出力させることになる。しかしながら、この他方の処理機は、前記入金命令信号の出力を入金命令信号受信手段で検出しても、連動制御手段が、処理機の入金口の貨幣が検出手段により検出されない場合には、当該他方の処理機の入金計数処理を開始させることがない。したがって、貨幣がセットされていない処理機において不要な入金計数動作が開始されてしまうことを防止できる。
【図面の簡単な説明】
【図１】本発明の一実施例による窓口用貨幣処理装置の制御系のブロック図である。
【図２】本発明の一実施例による窓口用貨幣処理装置の紙幣入出金機および硬貨入出金機のＣＰＵの構成等を示すブロック図である。
【図３】本発明の一実施例による窓口用貨幣処理装置のテラーズマシンの各処理のうちの入金モード部分を示すフローチャートである。
【図４】本発明の一実施例による窓口用貨幣処理装置の紙幣入出金機及び硬貨入出金機の各種処理のうちの入金計数処理部分を示すフローチャートである。
【符号の説明】
１０  テラーズマシン
１１ａ  紙幣入出金機（紙幣処理機）
１１ｂ  硬貨入出金機（硬貨処理機）
２７ａ，２７ｂ  入金検出手段（検出手段）
３１ａ，３１ｂ  入金スタート釦
３６ａ，３６ｂ  入金命令信号受信手段
３７ａ，３７ｂ  入金命令信号発信手段
３８ａ，３８ｂ  計数開始連動手段
３９ａ，３９ｂ  連動制御手段
【図１】
0003599787.tif 000002
【図２】
0003599787.tif 000003
【図３】
0003599787.tif 000004
【図４】
0003599787.tif 000005